(57)【要約】【課題】受信信号の品質を損なうことなく、受信における消費電力を抑制することが出来るものを提供することを目的とする。【解決手段】受信装置が、マルチキャリア通信によって信号を受信する受信装置であって、受信信号の複数のキャリアから制御チャネルが割り当てられたキャリアのみを取り出すバンドパスフィルタと、前記バンドパスフィルタの後段の増幅器と、前記増幅器にバイアス電流を供給する電源回路と、通信の待ち受け時に、制御チャネルが割り当てられたキャリアのみを前記バンドパスフィルタに取り出させ、制御チャネルが割り当てられたキャリアの受信電界強度に基づいて前記増幅器のダイナミックレンジを判断し、判断したダイナミックレンジに基づいて前記増幅器に供給するバイアス電流量を決定し、決定したバイアス電流量に基づいて前記増幅器へ前記電源回路にバイアス電流を供給させる制御手段を具備する。【選択図】図２
2009290601.tif 000002
【特許請求の範囲】
【請求項１】
マルチキャリア通信によって信号を受信する受信装置であって、
受信信号の複数のキャリアから制御チャネルが割り当てられたキャリアのみを取り出すバンドパスフィルタと、
前記バンドパスフィルタの後段の増幅器と、
前記増幅器にバイアス電流を供給する電源回路と、
通信の待ち受け時に、制御チャネルが割り当てられたキャリアのみを前記バンドパスフィルタに取り出させ、制御チャネルが割り当てられたキャリアの受信電界強度に基づいて前記増幅器のダイナミックレンジを判断し、判断したダイナミックレンジに基づいて前記増幅器に供給するバイアス電流量を決定し、決定したバイアス電流量に基づいて前記増幅器へ前記電源回路にバイアス電流を供給させる制御手段を具備することを特徴とする受信装置。
【請求項２】
前記制御手段は、制御チャネルが割り当てられたキャリアの受信電界強度に応じた前記増幅器のダイナミックレンジに基づくバイアス電流量を前記受信電界強度毎に登録するバイアス電流量決定テーブルを記憶し、
前記制御手段は、前記バンドパスフィルタに取り出させた制御チャネルが割り当てられたキャリアの受信電界強度及び前記バイアス電流量決定テーブルに基づいて前記増幅器に供給するバイアス電流量を決定することを特徴とする請求項１に記載の受信装置。
【請求項３】
前記マルチキャリア通信において制御チャネルが割り当てられるキャリアが可変である場合に、
前記バンドパスフィルタとして帯域可変フィルタを採用し、
前記制御手段は、制御チャネルが割り当てられたキャリアに応じて前記帯域可変フィルタに通過帯域を変更させ、前記帯域可変フィルタに制御チャネルが割り当てられたキャリアのみを取り出させることを特徴とする請求項１または２に記載の受信装置。
【請求項４】
請求項１〜３のいずれかに記載の受信装置を具備することを特徴とする携帯端末。
【請求項５】
マルチキャリア通信によって信号を受信する受信装置における受信方法であって、
通信の待ち受け時に、受信信号の複数のキャリアから制御チャネルが割り当てられたキャリアのみを取り出し、制御チャネルが割り当てられたキャリアの受信電界強度に増幅器のダイナミックレンジを基づいて判断し、判断したダイナミックレンジに基づいて前記増幅器に供給するバイアス電流量を決定し、決定した電流量に基づいて前記増幅器へバイアス電流を供給することを特徴とする受信方法。
【発明の詳細な説明】
【技術分野】
【０００１】
本発明は、受信装置、携帯端末及び受信方法に関する。
【背景技術】
【０００２】
下記特許文献１には、妨害波のレベルが希望波のレベルよりも大きい、すなわち劣悪な通信環境であっても安定的に受信信号を復調することが出来る受信装置が開示されている。この受信装置では、妨害波を十分に除去することが出来ないバンドパスフィルタを搭載していたとしても、可変利得増幅器を線形な状態で動作させると共に直交検波器に接続したローパスフィルタによって妨害波を除去することによって、所望の周波数帯、すなわち希望波を取得することが出来る。そして、ベースバンド可変利得増幅器の利得を制御することによって希望波が支配的になったＩ、Ｑベースバンド信号を復調動作に必要な一定のレベルに調整する為、妨害波のレベルが希望波のレベルよりも大きい、すなわち劣悪な通信環境であっても、安定的に受信信号を復調することが出来る。
【特許文献１】特開平８−３４０２６８号公報
【発明の開示】
【発明が解決しようとする課題】
【０００３】
ところで、上記従来技術では、ローパスフィルタによって妨害波を除去すると共にベースバンド可変利得増幅器の利得を制御することにより希望波を支配的にして、安定的に受信信号を復調している。しかしながら、上記従来技術の受信装置では、バンドパスフィルタに妨害波の除去のみしか行わせていない。したがって、上記受信装置をＯＦＤＭＡ（Orthogonal Frequency Division Multiple Access）方式等のマルチキャリア通信に対応した無線通信システムへ適応させた場合、待ち受け時にバンドパスフィルタによる必要のない通信チャネルが割り当てられたキャリアの除去が出来ない為に、制御チャネルが割り当てられたキャリアと共に通信チャネルが割り当てられたキャリアを処理しなければならない。その為、上記従来技術では、通信の待ち受け時であっても通信チャネルが割り当てられたキャリアに合わせて増幅器にバイアス電流を供給しなければならず、消費電力を抑制するという観点から改善の余地が残されている。
【０００４】
本発明は、上述した事情を鑑みたものであり、受信信号の品質を損なうことなく、受信における消費電力を抑制することが出来るものを提供することを目的とする。
【課題を解決するための手段】
【０００５】
上記目的を達成するために、本発明では、受信装置に係る第１の解決手段として、マルチキャリア通信によって信号を受信する受信装置であって、受信信号の複数のキャリアから制御チャネルが割り当てられたキャリアのみを取り出すバンドパスフィルタと、前記バンドパスフィルタの後段の増幅器と、前記増幅器にバイアス電流を供給する電源回路と、通信の待ち受け時に、制御チャネルが割り当てられたキャリアのみを前記バンドパスフィルタに取り出させ、制御チャネルが割り当てられたキャリアの受信電界強度に基づいて前記増幅器のダイナミックレンジを判断し、判断したダイナミックレンジに基づいて前記増幅器に供給するバイアス電流量を決定し、決定したバイアス電流量に基づいて前記増幅器へ前記電源回路にバイアス電流を供給させる制御手段を具備するという手段を採用する。
【０００６】
本発明では、受信装置に係る第２の解決手段として、上記第１の解決手段において、前記制御手段は、制御チャネルが割り当てられたキャリアの受信電界強度に応じた前記増幅器のダイナミックレンジに基づくバイアス電流量を前記受信電界強度毎に登録するバイアス電流量決定テーブルを記憶し、前記制御手段は、前記バンドパスフィルタに取り出させた制御チャネルが割り当てられたキャリアの受信電界強度及び前記バイアス電流量決定テーブルに基づいて前記増幅器に供給するバイアス電流量を決定するという手段を採用する。
【０００７】
本発明では、受信装置に係る第３の解決手段として、上記第１または第２の解決手段において、前記マルチキャリア通信において制御チャネルが割り当てられるキャリアが可変である場合に、前記バンドパスフィルタとして帯域可変フィルタを採用し、前記制御手段は、制御チャネルが割り当てられたキャリアに応じて前記帯域可変フィルタに通過帯域を変更させ、前記帯域可変フィルタに制御チャネルが割り当てられたキャリアのみを取り出させるという手段を採用する。
【０００８】
本発明では、携帯端末に係る第１の解決手段として、上記第１〜第３のいずれかの解決手段を採用する受信装置を具備するというという手段を採用する。
【０００９】
本発明では、受信方法に係る第１の解決手段として、マルチキャリア通信によって信号を受信する受信装置における受信方法であって、通信の待ち受け時に、受信信号の複数のキャリアから制御チャネルが割り当てられたキャリアのみを取り出し、制御チャネルが割り当てられたキャリアの受信電界強度に増幅器のダイナミックレンジを基づいて判断し、判断したダイナミックレンジに基づいて前記増幅器に供給するバイアス電流量を決定し、決定したバイアス電流量に基づいて前記増幅器へバイアス電流を供給するという手段を採用する。
【発明の効果】
【００１０】
本発明によれば、受信装置が、通信の待ち受け時に、制御チャネルが割り当てられたキャリアのみをバンドパスフィルタに取り出させ、制御チャネルが割り当てられたキャリアの受信電界強度に基づいて増幅器のダイナミックレンジを判断し、判断したダイナミックレンジに基づいて増幅器に供給するバイアス電流量を決定し、決定したバイアス電流量に基づいて増幅器へ電源回路にバイアス電流を供給させる制御手段を具備している。その為に、通信チャネルが割り当てられたサブキャリアの受信電界強度が制御チャネルが割り当てられたキャリアよりも高いとすると、通信チャネルが割り当てられたサブキャリアの受信電界強度に基づいて増幅器のバイアス電流量が決定されるものと比較して、本発明に係る受信装置の方が、制御チャネルが割り当てられたキャリアに基づいて増幅器のバイアス電流量が決定するので消費電力を抑えることが出来る。また、この受信装置では、待ち受け時である場合に、バンドパスフィルタによって制御チャネルが割り当てられたサブキャリアを取り出すので受信品質に影響を与えることがない。
【発明を実施するための最良の形態】
【００１１】
以下、図面を参照して、本発明の一実施形態について説明する。本実施形態は、携帯端末に関する。
図１は、本実施形態に係る携帯端末Ａによって構成される無線通信システムのシステム構成図である。  
この無線通信システムは、図１に示すように携帯端末Ａ及び基地局Ｂから構成される。
携帯端末Ａと基地局Ｂとは、直交周波数分割多元接続（ＯＦＤＭＡ：Orthogonal Frequency Division Multiple Access）方式を多元接続通信方式として相互に通信する通信装置である。基地局Ｂは、その他の基地局（図示略）と所定間隔をあけて離散的に配置されており、各々に割り当てられたセルにおいて携帯端末Ａと通信を行う。
周知のようにＯＦＤＭＡ方式とは、携帯端末Ａ及び他の携帯端末（図示略）が直交関係にある全てのサブキャリアを共有し、複数のサブキャリアの集まりを１つのグループとして位置づけ、各携帯端末に割り当てることによって多元接続を実現する技術である。
【００１２】
次に、携帯端末Ａの機能構成を、図２を参照して説明する。図２は、本実施形態に係る携帯端末Ａの機能構成を示す機能ブロック図である。
携帯端末Ａは、受信部１、送信部２、操作部３、表示部４、記憶部５、電源回路６及び制御部７から構成されている。そして、上記受信部１は、アンテナ１ａ、第１ＢＰＦ（Band Pass Filter）１ｂ、ＬＮＡ（Low Noise Amplifier）１ｃ、第１ミキサ１ｄ、第１接続先切替スイッチ１ｅ、第２ＢＰＦ１ｆ、制御チャネル通過ＢＰＦ１ｇ、第２接続先切替スイッチ１ｈ、第１増幅器１ｉ、第２ミキサ１ｊ、第２増幅器１ｋ、Ａ／Ｄコンバータ１ｌ及びＯＦＤＭＡ復調処理部１ｍから構成される。
【００１３】
アンテナ１ａは、基地局Ｂからの信号を受信するためのアンテナであり、基地局Ｂから受信した受信信号を第１ＢＰＦ１ｂへ出力する。
第１ＢＰＦ１ｂは、アンテナ１ａから入力される受信信号から受信帯域内以外の不要な周波数成分を減衰し、不要な周波数成分を減衰した受信信号（ＯＦＤＭ信号）をＬＮＡ１ｃへ出力する。なお、この第１ＢＰＦ１ｂでは、１０ＭＨｚ帯域幅の受信帯域の信号を通過させる。
ＬＮＡ１ｃは、雑音指数の低い増幅器であり、第１ＢＰＦ１ｂから入力された高周波帯域のＯＦＤＭ信号を増幅し、第１ミキサ１ｄに出力する。
【００１４】
第１ミキサ１ｄは、ＬＮＡ１ｃから入力されたＯＦＤＭ信号と、局部信号発振器（図示略）から入力される局部信号とをミキシングすることで、ＯＦＤＭ信号を第１中間周波数帯へ周波数変換（ダウンコンバート）し、この第１中間周波数帯のＯＦＤＭ信号を出力する。
第１接続先切替スイッチ１ｅは、スイッチ素子によって構成される半導体スイッチであり、制御部７の制御の下、第１ミキサ１ｄの接続先を第２ＢＰＦ１ｆまたは制御チャネル通過ＢＰＦ１ｇへ切り替える、すなわち第１ミキサ１ｄからの第１中間周波数帯のＯＦＤＭ信号の出力先を切り替えるスイッチである。
【００１５】
第２ＢＰＦ１ｆは、イメージ周波数を除去することを目的とするものであり、第１ミキサ１ｄから入力される第１中間周波数帯のＯＦＤＭ信号から所望の帯域以外の不要な周波数成分を減衰し、このＯＦＤＭ信号を第１増幅器へ出力する。なお、この第２ＢＰＦ１ｆでは、１０ＭＨｚ帯域幅の第１中間周波数帯の信号を通過させる。
制御チャネル通過ＢＰＦ１ｇは、第１ミキサ１ｄから入力される第１中間周波数帯のＯＦＤＭ信号から制御チャネルが割り当てられたサブキャリア以外の不要な周波数成分を減衰し、このＯＦＤＭ信号を第１増幅器１ｉへ出力する。そして、この無線通信システムにおいて制御チャネルが割り当てられるサブキャリアの帯域幅が９００ｋＨｚである為、この制御チャネル通過ＢＰＦ１ｇにおける通過帯域幅は、制御チャネルが割り当てられたサブキャリアの帯域幅である９００ｋＨｚになっている。
【００１６】
第２接続先切替スイッチ１ｈは、スイッチ素子によって構成される半導体スイッチであり、制御部７の制御の下、第１ミキサ１ｄの接続先を第２ＢＰＦ１ｆまたは制御チャネル通過ＢＰＦ１ｇへ切り替えるスイッチである。なお、制御部７は、第１接続先切替スイッチ１ｅに第１ミキサ１ｄを第２ＢＰＦ１ｆへ接続させている場合には、第２接続先切替スイッチ１ｈに第１増幅器１ｉを第２ＢＰＦ１ｆへ接続させ、また第１接続先切替スイッチ１ｅに第１ミキサ１ｄを制御チャネル通過ＢＰＦ１ｇへ接続させている場合には、第２接続先切替スイッチ１ｈに第１増幅器１ｉを制御チャネル通過ＢＰＦ１ｇへ接続させる。
【００１７】
第１増幅器１ｉは、第２ＢＰＦ１ｆまたは制御チャネル通過ＢＰＦ１ｇから入力される第１中間周波数帯のＯＦＤＭ信号を増幅させ、このＯＦＤＭ信号を第２ミキサ１ｊへ出力する。
第２ミキサ１ｊは、第１増幅器１ｉから入力されたＯＦＤＭ信号と、局部信号発振器（図示略）から入力される局部信号とをミキシングすることで、ＯＦＤＭ信号を第２中間周波数帯へ周波数変換（ダウンコンバート）し、この第２中間周波数帯のＯＦＤＭ信号を第２ミキサ１ｊへ出力する。
【００１８】
第２増幅器１ｋは、第２ミキサ１ｊから入力される第２中間周波数帯のＯＦＤＭ信号を増幅させ、このＯＦＤＭ信号をＡ／Ｄコンバータ１ｌへ出力する。
Ａ／Ｄコンバータ１ｌは、第２増幅器１ｋから入力される第２中間周波数帯のＯＦＤＭ信号をアナログ信号からデジタル信号へ変換し、このデジタル信号へ変換されたＯＦＤＭ信号をＯＦＤＭＡ復調処理部１ｍへ出力する。
ＯＦＤＭＡ復調処理部１ｍは、Ａ／Ｄコンバータ１ｌから入力されたＯＦＤＭ信号にフーリエ変換処理、デジタル復調処理、パラレル／シリアル変換処理等を施すことによってベースバンド信号を生成し、このベースバンド信号を制御部７へ出力する。また、ＯＦＤＭＡ復調処理部１ｍは、ＯＦＤＭ信号のＲＳＳＩ（Received Signal Strength Indicator：受信電界強度）を検出し、この検出結果を制御部７へ出力する。
【００１９】
送信部２は、制御部７の制御の下、データ信号に対してシリアル／パラレル変換処理、サブキャリア変調処理及び逆高速フーリエ変換処理等を実行することによって生成したＯＦＤＭ信号を基地局Ｂへ送信する。
操作部３、電源キー、テンキー、各種ファンクションキー等の各種操作キーから構成されており、これらの操作キーに対するユーザの操作指示を制御部７に出力する。
表示部４は、例えば液晶モニタまたは有機ＥＬモニタ等であり、制御部７から入力される信号に基づいて画像や文字からなる各種画面を表示する。
【００２０】
記憶部５は、不揮発性メモリであり、制御部７による制御の下、バイアス電流量決定テーブル等の各種情報を記憶する。
図３は、上記バイアス電流量決定テーブルを示す図である。図４に示すようにバイアス電流量決定テーブルには、制御チャネルが割り当てられたサブキャリアのＲＳＳＩに応じて第１増幅器１ｉ及び第２増幅器１ｋへ電源回路から供給するバイアス電流量が登録されている。制御部７は、このバイアス電流量決定テーブルに基づいて、第１増幅器１ｉ及び第２増幅器１ｋへ供給するバイアス電流量を決定し、電源回路６を制御する。なお、制御部７の動作については、詳細を後述する。
電源回路６は、携帯端末Ａの各部に供給する電力を制御する回路であり、制御部７の制御の下、第１増幅器１ｉ及び第２増幅器１ｋに供給するバイアス電流を制御する。
【００２１】
制御部７は、ＣＰＵ（Central Processing Unit）、ＲＯＭ（Read Only Memory）及びＲＡＭ（Random Access Memory）から構成される内部メモリ並びに上記受信部１、送信部２、操作部３、表示部４、記憶部５及び電源回路６と信号の入出力をそれぞれ行うインタフェース回路等から構成されており、上記ＲＯＭに記憶された制御プログラム、受信部１が受信する信号、操作部３が受け付ける操作指示に基づいて携帯端末Ａの全体動作を制御する。なお、ＲＯＭに記憶されている制御プログラムは、消費電力抑制プログラムを備えており、制御部７はこの消費電力低減プログラムに基づいて信号の受信における消費電力を抑制する処理を実行する。なお、制御部７が実行する制御処理の詳細については、以下に携帯端末Ａの動作として説明する。
【００２２】
次に、上記構成の携帯端末Ａの動作について、図４のフローチャートを参照して説明する。図４は、本実施形態に係る携帯端末Ａの動作を示すフローチャートである。
まず、携帯端末Ａの制御部７は、基地局Ｂとの通信において待ち受け状態であるか否か判定する（ステップＳ１）。このステップＳ１における待ち受け状態とは、音声通信及びデータ通信を実行していない状態、すなわち携帯端末Ａに対して通信チャネルが割り当てられておらず、制御チャネルのみによって基地局Ｂと通信している状態である。
【００２３】
ｓ制御部７は、ステップＳ１において『ＹＥＳ』と判定した場合には、すなわち待ち受け状態である場合には、第１接続先切替スイッチ１ｅを第１ミキサ１ｄと制御チャネル通過ＢＰＦ１ｇを接続するように制御すると共に第２接続先切替スイッチ１ｈを第１増幅器１ｉと制御チャネル通過ＢＰＦ１ｇを接続するように制御する（ステップＳ２）。そして、ステップＳ２の後に、ＯＦＤＭＡ復調処理部１ｍが、制御チャネル通過ＢＰＦ１ｇを通過した制御チャネルが割り当てられたサブキャリアのＲＳＳＩを検出し、その検出結果を制御部７へ出力する。
【００２４】
制御部７は、前記検出結果とバイアス電流量決定テーブルに基づいてバイアス電流量を決定し（ステップＳ３）、電源回路６に対しこの決定したバイアス電流量に基づいて第１増幅器１ｉ及び第２増幅器１ｋへバイアス電流を供給するよう制御する（ステップＳ４）。
【００２５】
バイアス電流決定テーブルに登録されているＲＳＳＩに応じたバイアス電流量の決定方法について、図５を参照して説明する。
図５は、第１増幅器１ｉ及び第２増幅器１ｋが線形性（リニアリティ）を保って増幅することができる信号レベルの範囲（ダイナミックレンジ）を示す模式図である。図５の（ａ）は、通信チャネルが割り当てられたサブキャリアを含むＯＦＤＭ信号を第１増幅器１ｉ及び第２増幅器１ｋによって増幅する場合のダイナミックレンジを示し、図５の（ｂ）は、制御チャネルが割り当てられたサブキャリアのみを含むＯＦＤＭ信号を第１増幅器１ｉ及び第２増幅器１ｋによって増幅する場合のダイナミックレンジを示す。
【００２６】
従来、図５の（ａ）に示すように、第１増幅器１ｉ及び第２増幅器１ｋのダイナミックレンジは、ＯＦＤＭ信号に含まれる制御チャネルが割り当てられたサブキャリア及び通信チャネルが割り当てられたサブキャリアのＲＳＳＩの最大値を基準に決定されている。例えば、携帯端末Ａを有する無線通信システムにおいて、制御チャネルのデジタル変調方式がＱＰＳＫ（Quadrature Phase Shift Keying）でありかつ通信チャネルのデジタル変調方式が２５６ＱＡＭ（Quadrature Amplitude Modulation）である場合に、ＱＰＳＫより高い最大振幅レベルを有する２５６ＱＡＭを変調方式とする通信チャネルは、制御チャネルより高いＲＳＳＩを示す。その為、図５の（ａ）に示すように、通信チャネルが割り当てられたサブキャリアのＲＳＳＩを基準に第１増幅器１ｉ及び第２増幅器１ｋのダイナミックレンジを決められることになる。
【００２７】
しかし、図５の（ｂ）に示すように、通信チャネルが割り当てられたサブキャリアを除去することによって、制御チャネルが割り当てらたサブキャリアのＲＳＳＩを基準に第１増幅器１ｉ及び第２増幅器１ｋのダイナミックレンジを決めることが出来る為、ダイナミックレンジの上限を下げる、すなわちダイナミックレンジを狭くすることが出来る。そして、このように第１増幅器１ｉ及び第２増幅器１ｋのダイナミックレンジを狭くする為に、第１増幅器１ｉ及び第２増幅器１ｋに電源回路から供給するバイアス電流の電流量を下げる。そして、第１増幅器１ｉ及び第２増幅器１ｋのダイナミックレンジは、図５の（ａ）及び図５の（ｂ）に示すように、ＲＳＳＩに所要ＣＮＲ（Carrier to Noise ratio）と、十分な受信品質を維持する為のマージンとを加算した値に基づいて決定される。
【００２８】
制御部７は、ステップＳ１において『ＮＯ』と判定した場合には、すなわち待ち受け状態でない場合には、通信チャネルが割り当てられたサブキャリアを含むＯＦＤＭ信号を増幅する必要がある為、第１接続先切替スイッチ１ｅを第１ミキサ１ｄと第２ＢＰＦ１ｆとを接続するように制御する共に第２接続先切替スイッチ１ｈを第１増幅器１ｉと第２ＢＰＦ１ｆとを接続するように制御する（ステップＳ５）。そして、制御部７は、通常のバイアス電流量に基づいて第１増幅器１ｉ及び第２増幅器１ｋにバイアス電流を供給するよう電源回路６を制御する（ステップＳ６）。
【００２９】
以上説明したように、携帯端末Ａにおいて、制御部７が、待ち受け状態である、すなわち制御チャネルのみによって通信をしている場合に、第１接続先切替スイッチ１ｅ及び第２接続先切替スイッチ１ｈに接続先を切り替えさせることによって、制御チャネル通過ＢＰＦ１ｇにＯＦＤＭ信号から通信チャネルが割り当てられたサブキャリアを除去させ、制御チャネルのサブキャリアのＲＳＳＩ及びバイアス電流量決定テーブルに基づいて第１増幅器１ｉ及び第２増幅器１ｋへ供給するバイアス電流量を決定する為、通信チャネルが割り当てられたサブキャリアを含むＯＦＤＭ信号を増幅する場合と比較して第１増幅器１ｉ及び第２増幅器１ｋのダイナミックレンジを狭くする、すなわち第１増幅器１ｉ及び第２増幅器１ｋに供給するバイアス電流量を低減する為、消費電力を抑制することが出来る。また、この携帯端末Ａでは、待ち受け時である場合に、通信チャネルが割り当てられたサブキャリアを減衰して、制御チャネルが割り当てられたサブキャリアを取り出す為、受信品質に影響を与えることはない。
【００３０】
以上、本発明の一実施形態について説明したが、本発明は上記実施形態に限定されることなく、例えば以下のような変形が考えられる。
（１）携帯端末Ａによって構成される無線通信システムにおいて制御チャネルが割り当てられるサブキャリアの周波数が可変である場合に、制御チャネル通過ＢＰＦ１ｇとして帯域可変フィルタを採用することによって、制御チャネルが割り当てられるサブキャリアの変更に応じて帯域可変フィルタを通過する周波数帯域を変更することによって、ＯＦＤＭ信号から制御チャネルが割り当てられたサブキャリアのみを取り出すことが出来る。
【図面の簡単な説明】
【００３１】
【図１】本発明の一実施形態に係る携帯端末Ａによって構成される無線通信システムのシステム構成図である。
【図２】本発明の一実施形態に係る携帯端末Ａの機能構成を示す機能ブロック図である。
【図３】本発明の一実施形態に係る携帯端末Ａのバイアス電流決定テーブルである。
【図４】本発明の一実施形態に係る携帯端末Ａの動作を示すフローチャートである。
【図５】本発明の一実施形態に係る携帯端末Ａの第１増幅器１ｉ及び第２増幅器１ｋが線形性（リニアリティ）を保って増幅することができる信号レベルの範囲（ダイナミックレンジ）を示す模式図である。
【符号の説明】
【００３２】
Ａ…携帯端末、Ｂ…基地局、１…受信部、１ａ…アンテナ、１ｂ…第１ＢＰＦ、１ｃ…ＬＮＡ、１ｄ…第１ミキサ、１ｅ…第１接続先切替スイッチ、１ｆ…第２ＢＰＦ、１ｇ…制御チャネル通過ＢＰＦ、１ｈ…第２接続先切替スイッチ、１ｉ…第１増幅器、１ｊ…第２ミキサ、１ｋ…第２増幅器、１ｌ…Ａ／Ｄコンバータ、１ｍ…ＯＦＤＭＡ復調処理部、２…送信部、３…操作部、４…表示部、５…記憶部、６…電源回路、７…制御部
【図１】
2009290601.tif 000003
【図２】
2009290601.tif 000004
【図３】
2009290601.tif 000005
【図４】
2009290601.tif 000006
【図５】
2009290601.tif 000007